(57)【要約】【課題】従来必要としたＰＬＬ回路や補間フィルタを不要としたネットキュー信号生成装置およびネットキュー信号生成方法を得る。【解決手段】ネットキュー信号生成装置２００は、シリアル・パラレル変換回路２０３からクロック２０５を抽出し、これをデータメモリ部２１３とアドレス制御カウンタ２１７に供給する。アドレス制御カウンタ２１７は加算器２０８で加算して得られるネットキュー信号を構成する４系統の波形データを格納しており、その出力は第１〜第４の掛算器２３５〜２３８に供給されてデータメモリ部２１３の出力によりオン・オフ制御され、その出力が加算器で加算された状態で重畳される。このようにクロック２０５を統一して使用するので、回路が簡素化する。【選択図】図１
2008141293.tif 000002
【特許請求の範囲】
【請求項１】
シリアル映像信号をパラレル映像信号に変換すると共に、前記シリアル映像信号から所定の周波数のクロックを抽出するシリアル・パラレル変換手段と、
それぞれ同一の長さの時間軸上に描かれ時間と共に波高値の変化する特定の波形を前記クロックに同期させて時間軸に沿って走査したとしたときに得られるそれぞれの波高値を時間軸上のアドレスに対応させて複数系統の波形データとして格納した波形データ格納手段と、
前記複数系統の波形データの各波高値を前記クロックでアドレス順に繰り返し時間軸を折り返すようにして読み出したとき、これらの出力を系統別にオン・オフ制御して、オンとなった前記クロックの区間の各系統の波高値をそれぞれ加算した波高値を時間軸上に並べて得られるエンベロープ波形を求めることで、放送局間の制御信号としてのネットキュー信号となるように、時間軸上でのオン・オフを表わしたシリアルなオン・オフデータを各系統別に格納したオン・オフデータ格納手段と、
前記系統ごとに用意され、前記波形データ格納手段から前記クロックに同期して波高値を表わすデータを入力し、前記オン・オフデータ格納手段から前記系統ごとに読み出された前記オン・オフデータで出力をオン・オフする系統別スイッチ手段と、
これら系統別スイッチ手段の出力する各系統の波高値を加算して、前記シリアル・パラレル変換手段により変換された前記パラレル映像信号に前記ネットキュー信号として重畳する重畳手段と、
この重畳手段の重畳した後のパラレル映像信号を入力し、前記クロックを用いてシリアル映像信号に戻すパラレル・シリアル変換手段
とを具備することを特徴とするネットキュー信号生成装置。
【請求項２】
前記シリアル・パラレル変換手段によって変換した後のパラレル映像信号における前記ネットキュー信号を重畳させる画像の走査位置を算出する重畳位置算出手段を備え、この重畳位置算出手段の算出した位置に前記重畳手段が前記ネットキュー信号として重畳することを特徴とする請求項１記載のネットキュー信号生成装置。
【請求項３】
前記クロックは、ＮＴＳＣ信号のサブキャリアクロックＦｓｃの４分の５倍の周波数であることを特徴とする請求項１記載のネットキュー信号生成装置。
【請求項４】
前記系統は４系統であり、前記波形データ格納手段に格納されている複数系統の波形データは、同一の波形データを時間軸上で順次等間隔でシフトさせた波形のデータであり、１０ビット×３３ワードのメモリを系統別に備えていることを特徴とする請求項１記載のネットキュー信号生成装置。
【請求項５】
前記オン・オフデータ格納手段は、系統別に１ビット幅のメモリで構成されており、前記系統別スイッチ手段は各ビットが「１」か「０」かで出力をオン・オフする掛け算器で構成されていることを特徴とする請求項１記載のネットキュー信号生成装置。
【請求項６】
前記オン・オフデータ格納手段は、系統別に１ビット幅のメモリで構成されており、前記系統別スイッチ手段は各ビットが「１」か「０」かで出力をオン・オフするアンドゲートで構成されていることを特徴とする請求項１記載のネットキュー信号生成装置。
【請求項７】
それぞれ同一の長さの時間軸上に描かれ時間と共に波高値の変化する特定の波形を所定の周波数のクロックに同期させて時間軸に沿って走査したとしたときに得られるそれぞれの波高値を時間軸上のアドレスに対応させて複数系統の波形データとして格納した波形データ格納手段と、
前記複数系統の波形データの各波高値を前記クロックでアドレス順に繰り返し時間軸を折り返すようにして読み出したとき、これらの出力を系統別にオン・オフ制御して、オンとなった前記クロックの区間の各系統の波高値をそれぞれ加算した波高値を時間軸上に並べて得られるエンベロープ波形を求めることで、放送局間の制御信号としてのネットキュー信号となるように、時間軸上でのオン・オフを表わしたシリアルなオン・オフデータを各系統別に格納したオン・オフデータ格納手段
とを備えたネットキュー信号生成装置が、
シリアル映像信号をパラレル映像信号に変換すると共に、前記シリアル映像信号から前記クロックを抽出するシリアル・パラレル変換送出ステップと、
このシリアル・パラレル変換ステップで変換した後のパラレル映像信号における前記ネットキュー信号を重畳させる画像の走査位置を算出する重畳位置算出ステップと、
前記波形データ格納手段から前記クロックに同期して波高値を表わすデータを入力し、前記オン・オフデータ格納手段から前記系統ごとに読み出された前記オン・オフデータを用い、前記重畳位置算出ステップで算出した区間で出力を前記系統ごとにオン・オフする系統別スイッチ処理ステップと、
これら系統別スイッチ処理ステップで出力する各系統の波高値を加算して、前記シリアル・パラレル変換ステップで変換された前記パラレル映像信号に前記ネットキュー信号として重畳する重畳ステップと、
この重畳ステップで重畳した後のパラレル映像信号を入力し、前記クロックを用いてシリアル映像信号に戻すパラレル・シリアル変換ステップ
との各ステップを用いてネットキュー信号を生成することを特徴とするネットキュー信号生成方法。
【発明の詳細な説明】
【技術分野】
【０００１】
本発明は、キー局がローカル局に渡す制御信号を映像信号に重畳したネットキュー信号を生成するネットキュー信号生成装置およびネットキュー信号生成方法に係り、特に信号の生成に特徴を有するネットキュー信号生成装置およびネットキュー信号生成方法に関する。
【背景技術】
【０００２】
ネットキュー信号は、ネット番組が生放送であるとき、コマーシャルを入れる場合のように局間の機器制御および情報伝達を行うための信号として用いられており、「ＮＡＢ（National Association of Broadcasters）技術基準Ｔ０３０−１９８４」で規定されている。このネットキュー信号は、放送局間で使用される制御信号を映像信号内に重畳することにより、系列局での運用を自動化する信号である（たとえば特許文献１参照）。
【０００３】
ところで、ネットキュー信号は、テレビジョンのカラー放送方式としてのＮＴＳＣ（National Television System Committee）アナログ方式の時代に規定されたものである。このため、アナログ信号での処理が容易な色信号副搬送波周波数（３．５７９５４５ＭＨｚ）を基準の周波数として採用している。
【０００４】
その後、映像信号はデジタル化されており、現在では「ＳＭＰＴＥ（Society of Motion Picture & Television Engineers）−２５９Ｍ」に規定されるＮＴＳＣデジタルコンポーネント信号が主流となっており、この信号のサンプリング周波数は１３．５ＭＨｚである。このため、３．５７９５４５ＭＨｚの色信号副搬送波周波数との関係が単純な整数比ではなくなっている。この結果として、サンプリング周波数１３．５ＭＨｚの領域でネットキュー信号を生成する場合、複雑な処理が必要となり、装置のコストが高くなるという問題が生じている。
【０００５】
これを更に具体的に説明する。ネットキュー信号を生成するためのクロック周波数は「ＮＡＢ技術基準Ｔ０３０−１９８４」に規定されており、水平同期パルスの１８２倍（２．８６３６３６Ｍｂ／ｓ）である。このような周波数の設定が行われているのは、ＮＴＳＣ信号のサブキャリアクロックＦｓｃ（＝３．５８ＭＨｚ）を基準に周波数が決められているためである。すなわち、ＮＴＳＣ信号のサブキャリアクロックＦｓｃの４分の５倍がネットキュー信号のクロック周波数に相当する。従って、ＮＴＳＣ信号を４倍のサブキャリアクロックＦｓｃでサンプリングしたＮＴＳＣデジタルコンポジット信号（以下、Ｄ２信号と称す。）の場合、映像信号の５サンプルがネットキュー信号の１パルス幅と一致する。つまり、このＤ２信号では、映像信号の５サンプル分の時間に１つのネットキュー信号パルスを生成することにより、「ＮＡＢ技術基準Ｔ０３０−１９８４」に規定されたネットキュー信号波形を生成することが可能である。
【０００６】
ところが、前記した「ＳＭＰＴＥ−２５９Ｍ」に規定されるサンプリング周波数Ｆｓ（＝１３．５ＭＨｚ）のＮＴＳＣデジタルコンポーネント信号（以下、Ｄ１信号と称す。）の場合には、ネットキュー信号のクロック周波数と映像信号のサンプリング周波数が単純な比とならない。すなわち、Ｄ１信号においては映像信号の５サンプル期間に１．０５９個のネットキュー信号波形を生成しなければならない。これを実現するためには、入力されたＤ１信号から１３．５ＭＨｚのクロックをまず抽出し、ここからＰＬＬ（Phase Locked Loop）回路を用いて１４．３１８ＭＨｚのクロックを生成する。そして、この生成した１４．３１８ＭＨｚのサンプリング周波数でネットキュー信号を生成した後、補間フィルタを使用してサンプリング周波数を１３．５ＭＨｚに戻すことが行われている。
【０００７】
図１０は、従来のＮＴＳＣデジタルコンポーネント映像信号用のネットキュー信号生成装置の構成を表わしたものである。このネットキュー信号生成装置１００は、Ｄ１信号入力端子１０１に、「ＳＭＰＴＥ−２５９Ｍ」に規定されたシリアルデジタルコンポーネント信号フォーマットのＤ１信号１０２を入力するようになっている。このＤ１信号１０２は、シリアル・パラレル（Ｓ／Ｐ）変換回路１０３に入力されて、パラレル映像信号１０４に変換される。また、このシリアル・パラレル変換回路１０３はＤ１信号１０２の映像信号成分から１３．５ＭＨｚのクロック１０５を抽出するようになっている。
【０００８】
パラレル映像信号１０４は、Ｖカウンタ１０６、Ｈカウンタ１０７および加算器１０８に供給されるようになっている。Ｖカウンタ１０６は、パラレル映像信号１０４の走査線番号をカウントして走査線番号１０９として出力する。Ｈカウンタ１０７はパラレル映像信号１０４の１水平走査線期間における水平方向のデータ番号をカウントして、水平位置情報１１１として出力する。走査線番号１０９と水平位置情報１１１はメモリ読出制御部１１２に入力される。メモリ読出制御部１１２は、これら走査線番号１０９と水平位置情報１１１を基にして、データメモリ部１１３に対してデータの読み出しのためのデータメモリ読出許可信号１１４を出力するようになっている。
【０００９】
一方、シリアル・パラレル変換回路１０３から出力された１３．５ＭＨｚのクロック１０５は、ＰＬＬ回路１１６に供給されるようになっている。ＰＬＬ回路１１６は、この１３．５ＭＨｚのクロック１０５を１４．３１８ＭＨｚのクロック１１７に変換する。クロック１１７は分周器１１８に入力されて５分周され、２．８６ＭＨｚのクロック１１９が生成される。クロック１１９は、「ＮＡＢ技術基準Ｔ０３０−１９８４」に規定されているネットキュー信号を生成するためのクロック周波数としての、水平同期パルスの１８２倍（＝２．８６３６３６Ｍｂ／ｓ）に一致する周波数である。このクロック１１９はデータメモリ部１１３に供給される。
【００１０】
データメモリ部１１３は、１ビット幅のメモリで構成されており、データメモリ読出許可信号１１４がオンとなっている期間で、２．８６ＭＨｚのクロック１１９によって１ビットずつのデータがデータパルス信号１２１として読み出される。データパルス信号１２１は、水平同期パルスの１８２倍（２．８６３６３６Ｍｂ／ｓ）に一致するパルス信号となる。このデータパルス信号１２１は帯域制限フィルタ部１２２に供給される。
【００１１】
帯域制限フィルタ部１２２は、「ＮＡＢ技術基準Ｔ０３０−１９８４」に規定された遮断周波数１．４３２ＭＨｚ（クロック１１９の周波数の１／２）の１００％コサインロールオフ特性を持ったデジタルフィルタである。帯域制限フィルタ部１２２から出力される１４．３１８ＭＨｚのネットキュー信号１２４は、これを重畳しようとするパラレル映像信号１０４のサンプリングレート１３．５ＭＨｚとは異なる。このため、サンプリングレートを一致させる必要がある。そのため、ネットキュー信号１２４は補間フィルタ部１２５に入力され、デジタルフィルタによるサンプリングレート変換が行われる。
【００１２】
補間フィルタ部１２５から出力される１３．５ＭＨｚのネットキュー信号１２６は、パラレル映像信号１０４と同一のサンプリング周波数となる。このため、ネットキュー信号１２６は加算器１０８で足し合わせることが可能になる。ネットキュー信号１２６は加算器１０８に供給されてパラレル映像信号１０４と加算される。加算器１０８から出力された信号１２７は、パラレル・シリアル（Ｐ／Ｓ）変換回路１２８に入力され、Ｄ１信号１２９に変換される。このＤ１信号１２９は、「ＳＭＰＴＥ−２５９Ｍ」に規定されたシリアルデジタルコンポーネント信号フォーマットの信号である。Ｄ１信号１２９は、Ｄ１信号出力端子１３０に出力されることになる。
【００１３】
なお、以上の説明における３．５８ＭＨｚおよび１４．３１８ＭＨｚは簡略化された値である。それぞれについての正確な値（３．５７９５４５×××ＭＨｚあるいは１４．３１８１８×××ＭＨｚ）は「ＥＩＡ（Electronic Industries Alliance）  ＲＳ−１７０Ａ」に規定されている。ここで、「×××」は後続の数値を省略して表わしたものである。
【特許文献１】特開２０００−２０１２９７号公報（第０００９段落、図１）
【発明の開示】
【発明が解決しようとする課題】
【００１４】
この図１０に示したネットキュー信号生成装置１００では、ネットキュー信号を生成するために１３．５ＭＨｚのクロックから１４．３１８ＭＨｚのクロックを生成するＰＬＬ回路が必要となる。また、生成したネットキュー信号のサンプリング周波数を１３．５ＭＨｚに変換するために補間フィルタが必要となる。補間フィルタは多段のデジタルフィルタであり、係数メモリ、掛算器、加算器が多数必要となるため、回路が複雑になり、装置コストが高くなるという問題がある。
【００１５】
そこで本発明の目的は、ＰＬＬ回路や補間フィルタを不要としてコストの低減を図ったネットキュー信号生成装置およびネットキュー信号生成方法を提供することにある。
【課題を解決するための手段】
【００１６】
請求項１記載の発明では、（イ）シリアル映像信号をパラレル映像信号に変換すると共に、シリアル映像信号から所定の周波数のクロックを抽出するシリアル・パラレル変換手段と、（ロ）それぞれ同一の長さの時間軸上に描かれ時間と共に波高値の変化する特定の波形を前記したクロックに同期させて時間軸に沿って走査したとしたときに得られるそれぞれの波高値を時間軸上のアドレスに対応させて複数系統の波形データとして格納した波形データ格納手段と、（ハ）前記した複数系統の波形データの各波高値を前記したクロックでアドレス順に繰り返し時間軸を折り返すようにして読み出したとき、これらの出力を系統別にオン・オフ制御して、オンとなった前記したクロックの区間の各系統の波高値をそれぞれ加算した波高値を時間軸上に並べて得られるエンベロープ波形を求めることで、放送局間の制御信号としてのネットキュー信号となるように、時間軸上でのオン・オフを表わしたシリアルなオン・オフデータを各系統別に格納したオン・オフデータ格納手段と、（ニ）系統ごとに用意され、波形データ格納手段から前記したクロックに同期して波高値を表わすデータを入力し、オン・オフデータ格納手段から系統ごとに読み出されたオン・オフデータで出力をオン・オフする系統別スイッチ手段と、（ホ）これら系統別スイッチ手段の出力する各系統の波高値を加算して、シリアル・パラレル変換手段により変換されたパラレル映像信号にネットキュー信号として重畳する重畳手段と、（へ）この重畳手段の重畳した後のパラレル映像信号を入力し、前記したクロックを用いてシリアル映像信号に戻すパラレル・シリアル変換手段とをネットキュー信号生成装置に具備させる。
【００１７】
すなわち本発明では、シリアル・パラレル変換手段によってシリアル映像信号から所定の周波数のクロックを抽出し、このクロックを直接使用して波形データ格納手段とオン・オフデータ格納手段からそれぞれ複数系統の波形データと時間軸上でのオン・オフを表わしたシリアルなオン・オフデータを読み出して、波形データ格納手段から読み出された複数系統の波形データをオン・オフすることにより得られた複数系統の波形部分の波高値を加算し、時間軸上に得られたこれらの波高値を順にプロットして得られるエンベロープ波形で、このクロックに同期した所望のネットキュー信号を合成するようにしている。そして、パラレル映像信号にネットキュー信号を重畳する重畳手段でパラレル映像信号に合成したネットキュー信号を重畳し、パラレル・シリアル変換手段でシリアル映像信号に戻すことにしている。これにより、前記したクロックの周波数のみを使用してネットキュー信号生成装置を構成することができるので、ＰＬＬ回路や補間フィルタを不要とすることができ、コストの低減を図ることが可能になる。
【００１８】
請求項７記載のネットキュー信号生成方法の発明では、（ａ）それぞれ同一の長さの時間軸上に描かれ時間と共に波高値の変化する特定の波形を所定の周波数のクロックに同期させて時間軸に沿って走査したとしたときに得られるそれぞれの波高値を時間軸上のアドレスに対応させて複数系統の波形データとして格納した波形データ格納手段と、（ｂ）前記した複数系統の波形データの各波高値を前記したクロックでアドレス順に繰り返し時間軸を折り返すようにして読み出したとき、これらの出力を系統別にオン・オフ制御して、オンとなった前記したクロックの区間の各系統の波高値をそれぞれ加算した波高値を時間軸上に並べて得られるエンベロープ波形を求めることで、放送局間の制御信号としてのネットキュー信号となるように、時間軸上でのオン・オフを表わしたシリアルなオン・オフデータを各系統別に格納したオン・オフデータ格納手段とを備えたネットキュー信号生成装置が、（イ）シリアル映像信号をパラレル映像信号に変換すると共に、シリアル映像信号から前記したクロックを抽出するシリアル・パラレル変換送出ステップと、（ロ）このシリアル・パラレル変換ステップで変換した後のパラレル映像信号におけるネットキュー信号を重畳させる画像の走査位置を算出する重畳位置算出ステップと、（ハ）波形データ格納手段から前記したクロックに同期して波高値を表わすデータを入力し、オン・オフデータ格納手段から系統ごとに読み出されたオン・オフデータを用い、重畳位置算出ステップで算出した区間で出力を系統ごとにオン・オフする系統別スイッチ処理ステップと、（ニ）これら系統別スイッチ処理ステップで出力する各系統の波高値を加算して、シリアル・パラレル変換ステップで変換されたパラレル映像信号にネットキュー信号として重畳する重畳ステップと、（ホ）この重畳ステップで重畳した後のパラレル映像信号を入力し、前記したクロックを用いてシリアル映像信号に戻すパラレル・シリアル変換ステップとの各ステップを用いてネットキュー信号を生成することを特徴としている。
【００１９】
すなわち本発明では、シリアル・パラレル変換ステップでシリアル映像信号から所定の周波数のクロックを抽出し、このクロックを直接使用して波形データ格納手段とオン・オフデータ格納手段からそれぞれ複数系統の波形データと時間軸上でのオン・オフを表わしたシリアルなオン・オフデータを読み出して、波形データ格納手段から読み出された複数系統の波形データをオン・オフすることにより得られた複数系統の波形部分の波高値を加算し、時間軸上に得られたこれらの波高値を順にプロットして得られるエンベロープ波形で、このクロックに同期した所望のネットキュー信号を合成するようにしている。そして、パラレル映像信号にネットキュー信号を重畳する重畳ステップで、パラレル映像信号に合成したネットキュー信号を重畳し、パラレル・シリアル変換ステップでシリアル映像信号に戻すことにしている。これにより、前記したクロックの周波数のみを使用して映像信号に重畳させたネットキュー信号を生成することができるので、ＰＬＬ回路や補間フィルタを不要とすることができる。
【発明の効果】
【００２０】
以上説明したように本発明によれば、ネットキュー信号を合成するための複数の波形を表わした波形データを用意し、これらの波形データの読出出力をオン・オフするオン・オフデータと共にシリアル映像信号から抽出した所定の周波数のクロックで処理することにした。これにより、複数の周波数を使用した場合のＰＬＬ回路や補間フィルタを不要とすることができるだけでなく、波形データ格納手段を用いて波形を合成するので、各種のネットキュー信号を自在に生成することができる。しかも、ネットキュー信号のそれぞれの波形を個別に登録して出力する場合と比べて波形データ格納手段のメモリ容量を大幅に軽減することができる。
【発明を実施するための最良の形態】
【００２１】
以下実施例につき本発明を詳細に説明する。
【実施例１】
【００２２】
図１は本発明の一実施例におけるネットキュー信号生成装置の構成を表わしたものである。本実施例のネットキュー信号生成装置２００は、Ｄ１信号入力端子２０１に、「ＳＭＰＴＥ−２５９Ｍ」に規定されたシリアルデジタルコンポーネント信号フォーマットのＤ１信号２０２を入力するようになっている。このＤ１信号２０２は、シリアル・パラレル（Ｓ／Ｐ）変換回路２０３に入力されて、パラレル映像信号２０４に変換される。また、このシリアル・パラレル変換回路２０３はＤ１信号２０２の映像信号成分から１３．５ＭＨｚのクロック２０５を抽出するようになっている。
【００２３】
パラレル映像信号２０４は、Ｖカウンタ２０６、Ｈカウンタ２０７および加算器２０８に供給されるようになっている。Ｖカウンタ２０６は、パラレル映像信号２０４の走査線番号をカウントして走査線番号２０９として出力する。Ｈカウンタ２０７はパラレル映像信号２０４の１水平走査線期間における水平方向のデータ番号をカウントして、水平位置情報２１１として出力する。走査線番号２０９と水平位置情報２１１はメモリ読出制御部２１２に入力される。メモリ読出制御部２１２は、これら走査線番号２０９と水平位置情報２１１から特定される画像の走査位置で、データメモリ部２１３に対してデータの読み出しのためのデータメモリ読出許可信号２１４を出力するようになっている。以上の回路構成は、図１０に示した従来のネットキュー信号生成装置１００と基本的に同一である。
【００２４】
本実施例のネットキュー信号生成装置２００の場合、シリアル・パラレル変換回路２０３から出力された１３．５ＭＨｚのクロック２０５は、データメモリ部２１３の他に、パラレル・シリアル（Ｐ／Ｓ）変換回路２１６と、アドレス制御カウンタ２１７に供給されるようになっている。ここでパラレル・シリアル変換回路２１６からはＤ１信号２１８がＤ１信号出力端子２１９に出力されるようになっている。また、アドレス制御カウンタ２１７から出力されるネットキュー波形メモリ読出アドレス２２１はネットキュー波形メモリ部２２２に供給されるようになっている。
【００２５】
データメモリ部２１３は１ビット幅のメモリを４系統備えている。これらを第１〜第４系統データメモリ２２３1〜２２３4とする。また、ネットキュー波形メモリ部２２２は１０ビット×３３ワードのメモリを４系統備えている。これらを第１〜第４系統ネットキューメモリ２２４1〜２２４4とする。第１〜第４系統データメモリ２２３1〜２２３4から出力されるデータメモリ出力信号２３１〜２３４は、第１〜第４の掛算器２３５〜２３８のそれぞれ対応するものに入力され、第１〜第４系統ネットキューメモリ２２４1〜２２４4から出力されるネットキュー波形信号２４１〜２４４のうちのそれぞれ対応するものと掛け合わされるようになっている。第１〜第４の掛算器２３５〜２３８の出力２４５〜２４８は、加算器２０８に供給されることになる。
【００２６】
以上のような構成のネットキュー信号生成装置２００では、図示しないがＣＰＵ（Central Processing Unit）と制御用のプログラムを格納したＲＯＭ（Read Only Memory）等の記憶媒体を有する主制御部を備えている。主制御部は、ネットキュー信号生成装置２００の全体を制御する。また、ネットキュー信号生成装置２００内のメモリ読出制御部２１２等の回路部品をソフトウェアで機能的に実現することも可能である。このようなネットキュー信号生成装置２００の回路動作を次に説明する。
【００２７】
データメモリ部２１３は、データメモリ読出許可信号２１４がオンとなっている期間に、第１〜第４系統データメモリ２２３1〜２２３4から１３．５ＭＨｚのクロック２０５のレートでそのメモリ内部に記録されているデータをデータメモリ出力信号２３１〜２３４として出力するようになっている。
【００２８】
ネットキュー信号は映像フィールドにおける第１９および第２０走査線の有効映像期間に重畳されるようになっている。そこで、データメモリ読出許可信号２１４もこれと同じ期間にオンとなるようになっている。
【００２９】
一方、メモリ読出制御部２１２は、データメモリ読出許可信号２１４の他に波形メモリアドレスリセット信号２５１も出力するようになっている。波形メモリアドレスリセット信号２５１はアドレス制御カウンタ２１７に供給され、このタイミングでネットキュー波形メモリ読出アドレス２２１をリセットする信号である。
【００３０】
ところで、アドレス制御カウンタ２１７は１３．５ＭＨｚのクロック２０５の供給を受け、ネットキュー波形メモリ読出アドレス２２１をネットキュー波形メモリ部２２２に供給するようになっている。このネットキュー波形メモリ読出アドレス２２１は、初期値が「０」となっており、「１」ずつアドレスをカウントアップして、「３２」まで増加した後は、「０」に戻るようになった３３周期のカウンタである。ネットキュー波形メモリ読出アドレス２２１は、波形メモリアドレスリセット信号２５１がオンになった場合には、カウント値を「０」に初期化される。
【００３１】
波形メモリアドレスリセット信号２５１がオンになるタイミングは、特に制限がない。本実施例の場合、通常、１水平走査期間の先頭、または有効映像期間の先頭でオンとなり、ネットキュー波形メモリ読出アドレス２２１が「０」に初期化されるようになっている。ネットキュー波形メモリ部２２２は１０ビット×３３ワードのメモリが４系統存在する形の第１〜第４系統ネットキューメモリ２２４1〜２２４4で構成されている。このネットキュー波形メモリ部２２２は、ネットキュー波形メモリ読出アドレス２２１に従って、このメモリ内のデータをネットキュー波形信号２４１〜２４４として出力するようになっている。
【００３２】
データメモリ部２１３から出力される４系統に分かれたデータメモリ出力信号２３１〜２３４と、ネットキュー波形メモリ部２２２から出力される４系統に分かれたネットキュー波形信号２４１〜２４４は、第１〜第４の掛算器２３５〜２３８のうちのそれぞれ対応する系統のものに入力される。ここで、データメモリ出力信号２３１〜２３４はそれぞれ１ビットの信号で構成されているので、第１〜第４の掛算器２３５〜２３８による掛算の結果はネットキュー波形信号２４１〜２４４の単純なオン・オフと同一となる。したがって、第１〜第４の掛算器２３５〜２３８は単純なＡＮＤ（論理積）からなる論理ゲートや同等の選択器で置き換えることも可能である。
【００３３】
第１〜第４の掛算器２３５〜２３８の具体的な動作は、次のようになる。データメモリ出力信号２３１〜２３４がそれぞれ「１」の場合、ネットキュー波形信号２４１〜２４４の出力がそのまま出力２４５〜２４８となる。また、データメモリ出力信号２３１〜２３４がそれぞれ「０」の場合には、ネットキュー波形信号２４１〜２４４の出力は遮断されるので、出力２４５〜２４８の値は共に「０」となる。このようにデータメモリ部２１３から出力されるデータメモリ出力信号２３１〜２３４が「１」か「０」かによって、ネットキュー波形信号２４１〜２４４の出力が個別にオン・オフ制御される。これにより、所望のネットキュー信号の基となる４系統に分かれた信号波形が加算器２０８に供給されることになる。
【００３４】
第１〜第４の掛算器２３５〜２３８の出力２４５〜２４８は、加算器２０８に入力され、パラレル映像信号２０４と加算される。これによって得られた加算出力２５３は、パラレル・シリアル変換回路２１６でＮＴＳＣデジタルコンポーネント信号としてのＤ１信号（「ＳＭＰＴＥ−２５９Ｍ」に規定されたシリアルデジタルコンポーネント信号フォーマットの映像信号）２１８に変換されて、Ｄ１出力信号端子２１９に出力されることになる。
【００３５】
図２は、アナログネットキュー信号に使用される１００％コサインロールオフ特性を持つ信号波形を示したものである。この図２に示した信号波形は、図１に示したネットキュー波形メモリ部２２２に記録する前の波形データである。この波形データおよび図１を使用してネットキュー波形メモリ部２２２に記録する波形データについて説明する。
【００３６】
アナログネットキュー信号に使用される１００％コサインロールオフ特性を持つ信号波形は、この図２に示すように中心のパルス頂上部から離れるに従い、急激に振幅が低下する。そして、中心から２Ｔ離れると振幅がほぼ０となる。ここで、Ｔは１つのパルス幅を示し、隣接するパルスの頂点の間隔と同じである。特に、Ｄ１信号は１０ビットで構成される信号なので、１ビットに満たない振幅は無視することが可能である。このことから、ネットキュー波形メモリ部２２２に記録する１つのネットキュー信号の波形データは中心から±２Ｔまでの範囲で十分となる。
【００３７】
このように、１つのネットキュー信号の波形データを中心から±２Ｔの範囲でメモリに記録するものとした場合、波形が周期的に繰り返す場合に互いにこれらの波形が重ならないようにデータを並べる必要がある。このためには、次に記録可能なネットキュー信号は４Ｔ離れた位置の信号でなければならない。１系統の波形メモリに４Ｔ間隔でネットキュー波形を記録できるので、ネットキュー波形メモリ部２２２に記録位置を１Ｔずつずらした４系統としての第１〜第４系統ネットキューメモリ２２４1〜２２４4を配置することにより、すべての波形が記録できることになる。
【００３８】
第１〜第４系統ネットキューメモリ２２４1〜２２４4から出力されるネットキュー波形信号２４１〜２４４をその種類に応じて個別にオン・オフ制御するための情報は、放送の内容に応じてデータメモリ部２１３に予め格納されている。ネットキュー波形メモリ部２２２から読み出されたネットキュー波形信号２４１〜２４４を系統ごとにオン・オフし、その結果を合成することで、データメモリ部２１３に格納された情報で制御されたネットキュー波形の生成が可能になる。
【００３９】
図３〜図６は、ネットキュー波形メモリに記録されている各系統の波形データを表わしている。このうち、図３は、ネットキュー波形メモリ部２２２の第１系統ネットキューメモリ２２４1に記録されている波形データ２６１を示している。また、図４は、ネットキュー波形メモリ部２２２の第２系統ネットキューメモリ２２４2に記録されている波形データ２６２を示している。更に、図５は、ネットキュー波形メモリ部２２２の第３系統ネットキューメモリ２２４3に記録されている波形データ２６３を示しており、図６は、ネットキュー波形メモリ部２２２の第４系統ネットキューメモリ２２４4に記録されている波形データ２６４を示している。それぞれの波形は、記録位置を１Ｔずつずらしたものとなっていることが分る。
【００４０】
図７は、第１〜第４系統ネットキューメモリに記録されているそれぞれの波形データを重ね合わせて示したものである。図３〜図６に示した各波形データ２６１〜２６４は、数値計算によりネットキュー信号を求めて、１３．５ＭＨｚでサンプリングした場合のものである。したがって、１３．５ＭＨｚのサンプリング系で直接使用することができる。図７に示した例では、波形基本周期の１セット（１３．５ＭＨｚ）の３３クロック分のすべての波形が加算された場合、波高が「６１３」〜「６１６」程度のほぼ平坦な高さの波形となる。
【００４１】
ところでネットキュー波形メモリ部２２２について見てみると、すでに説明したように、１４．３１８ＭＨｚサンプリング系の５データ分の幅とネットキュー信号１パルス分の周期は等しい。したがって、１４．３１８ＭＨｚサンプリング系の３５データ分の期間は、ネットキュー信号パルス７個分の周期に相当する。また、この期間は１３．５ＭＨｚサンプリング系の３３データ分の期間と正確に一致する。したがって、１３．５ＭＨｚサンプリング系の３３データ分の期間にはネットキュー信号のパルスがちょうど７個含まれることになる。この３３データ分の期間の周期性を利用することにより、図３〜図６に示した各波形データ２６１〜２６４を繰り返して使用して任意の長さと波形を有するネットキュー信号を合成することが可能になる。
【００４２】
次にデータメモリ部２１３について説明する。データメモリ部２１３は、すでに説明したようにそれぞれ１ビット幅の第１〜第４系統データメモリ２２３1〜２２３4の合計４系統で構成されている。
【００４３】
図８は本実施例のデータメモリ部のデータ形式を表わしたものであり、図９はネットキュー波形メモリ部のデータ形式を表わしたものである。図８のデータメモリ部２１３については、図９に示したネットキュー波形メモリ部２２２のデータ配置に、アドレスが１つずつ増加するのに対応させて配置している。
【００４４】
図８のデータメモリ部２１３で、第１のデータＤ1は、ネットキュー信号で伝送する最初のパルス波形のオン・オフを指定するものであり、ここでは「１」をオン（パルスを多重する）とし、「０」をオフ（パルスを多重しないもの)としている。第２のデータＤ2以降についても、それぞれ「１」と「０」でオン・オフの設定を行うようになっている。
【００４５】
データメモリ部２１３で、最初の１パルス分の波形データを構成する第１のデータＤ1は、第３系統データメモリ２２３3のアドレス「１」からアドレス「１９」までのアドレス領域に記録されている。第２のデータＤ2は、第４系統データメモリ２２３4の、アドレス「６」からアドレス「２４」までの領域に記録されている。また、第３のデータＤ3は、第１系統データメモリ２２３1の、アドレス「１１」からアドレス「２９」までの領域に記録されている。第４のデータＤ4は、第２系統データメモリ２２３2の、アドレス「１６」からアドレス「３３」までの領域に記録されている。以下同様にして、図９に示したネットキュー波形メモリ部２２２の各ネットキューメモリ２２４1〜２２４4の系統と対応するように順に並べておく。
【００４６】
なお、第１、第２系統データメモリ２２３1、２２３2および第４系統データメモリ２２３4は、第１のデータＤ1の途中からこれらのデータが記録されている。したがって、本実施例のネットキュー信号生成装置２００では、アドレス「１９」よりも後の第３系統データメモリ２２３3の２サイクル以降からネットキュー波形信号２４１〜２４４が共に出力されることでその信号波形の使用が可能になる。
【００４７】
一方、図９には、データメモリ部２１３における第１〜第４系統データメモリ２２３1〜２２３4として図３〜図６に示した波形データ２６１〜２６９がアドレスに対応させて数値で示されている。これは、アドレス「１」からアドレス「３３」で前記した４Ｔの時間間隔となるので、これ以降は、アドレス「１」からアドレス「３３」までのデータを繰り返し使用することになる。
【００４８】
データメモリ部２１３とネットキュー波形メモリ部２２２は、これらが１対１で対応して読み出されるように、図示しないメモリ上に配置されている。したがって、ハードウエアとしての処理は単純であり、データメモリ部２１３とネットキュー波形メモリ部２２２を１３．５ＭＨｚのクロックごとに１データずつ読み出し、第１〜第４の掛算器２３５〜２３８で系統ごとに積をとるようにすればよい。
【００４９】
第１〜第４の掛算器２３５〜２３８の出力２４５〜２４８は、加算器２０８に供給されることになる。加算器２０８では、これらの出力２４５〜２４８を加算する結果として、たとえばデータメモリ出力信号２３１〜２３４が共に「０」となっている時間帯で合成波形の高さがゼロレベルとなる波形が得られる。また、データメモリ出力信号２３１〜２３４が共に「１」となっている時間帯では、図９に示したデータメモリ部２１３の同一アドレスの場所の第１〜第４系統データメモリ２２３1〜２２３4の格納されたデータの総和がほぼ「６１３」〜「６１６」に一定することから、一定したピーク値の波形が得られる。更に、データメモリ出力信号２３１〜２３４の一部が「１」または「０」に変化することで、これらの間で変化する波高が得られる。このようにして、時間と共に変化するアナログ的な波形がネットキュー波形として加算器２０８で合成されることになる。
【００５０】
加算器２０８の加算出力２５３は、パラレル・シリアル変換回路２１６でＮＴＳＣデジタルコンポーネント信号としてのＤ１信号２１８に変換されて、Ｄ１出力信号端子２１９に出力されることになる。
【００５１】
以上説明したように、本実施例ではデータメモリ部２１３とネットキュー波形メモリ部２２２のそれぞれのメモリを４系統にしたので、ネットキュー波形の生成回路は単純にこれらのメモリの読み出しの制御を行うだけでよい。このため、本実施例のネットキュー信号生成装置２００は複雑なアドレスの制御を必要とせず、回路規模を小さくし、装置コストを安価にすることができる。
【００５２】
また、本実施例のネットキュー波形メモリ部２２２は、４系統の１０ビット幅３３ワードのメモリに図３〜図６に示した各波形データ２６１〜２６４を記録したので、これを反覆使用することで、十分な精度のネットキュー信号を少ないメモリ使用量で実現することができる。このため、メモリのコストを削減することが可能になる。
【００５３】
更に本実施例では、「ＮＡＢ技術基準Ｔ０３０−１９８４」に規定されている１００％コサインロールオフ特性を持った波形を数値計算により求めたネットキュー波形をネットキュー波形メモリに用いている。このため、従来の装置のように、波形を一度生成した後に１００％コサインロールオフフィルタによる帯域制限処理を行う必要がない。したがって、これによっても装置のコストダウンに寄与することになる。
【００５４】
なお、実施例ではデータメモリ部２１３とネットキュー波形メモリ部２２２を４系統のメモリ配置としたが、一般には、要求される信号波形の精度に応じて複数形等のメモリ配置とすればよく、４系統に限定されるものではない。ただし、系統数を増加させると、合成後の信号の波形の精度が上がる一方で、必要とするメモリの容量が大きくなる。
【００５５】
また、図９に示したネットキュー波形メモリ部２２２内の各データの値は、これに限定されるものではない。更に、実施例ではネットキュー波形メモリ部２２２に、図２に示した信号波形を少しずつシフトさせた波形データ２６１〜２６９を格納したが、たとえば図２に示した信号波形に対応する波形データを１種類用意して、電気的な遅延回路や遅延素子あるいはシフトレジスタのような回路部品を用いて、波形データの読出出力を１Ｔ、２Ｔおよび３Ｔそれぞれ遅延させて出力するようにしてもよい。
【００５６】
更に実施例では、Ｖカウンタ２０６とＨカウンタ２０７の２種類のカウンタを使用して画像の走査位置を特定したが、１種類のカウンタで同様の処理を行うことも可能である。また、実施例では映像信号成分から１３．５ＭＨｚのクロック２０５を抽出する場合を説明したが、放送方式の違いにより、これと異なった周波数の抽出を行う場合にも、本発明を適用することができる。
【図面の簡単な説明】
【００５７】
【図１】本発明の一実施例におけるネットキュー信号生成装置の構成を表わしたブロック図である。
【図２】アナログネットキュー信号に使用される１００％コサインロールオフ特性を持つ信号波形を示した波形図である。
【図３】本実施例でネットキュー波形メモリ部の第１系統ネットキューメモリに記録されている波形データを示した波形図である。
【図４】本実施例でネットキュー波形メモリ部の第２系統ネットキューメモリに記録されている波形データを示した波形図である。
【図５】本実施例でネットキュー波形メモリ部の第３系統ネットキューメモリに記録されている波形データを示した波形図である。
【図６】本実施例でネットキュー波形メモリ部の第４系統ネットキューメモリに記録されている波形データを示した波形図である。
【図７】本実施例で第１〜第４系統ネットキューメモリに記録されているそれぞれの波形データを重ね合わせて示した波形説明図である。
【図８】本実施例のデータメモリ部のデータ形式を表わした説明図である。
【図９】本実施例のネットキュー波形メモリ部のデータ形式を表わした説明図である。
【図１０】従来のＮＴＳＣデジタルコンポーネント映像信号用のネットキュー信号生成装置の構成を表わしたブロック図である。
【符号の説明】
【００５８】
２００  ネットキュー信号生成装置
２０２、２１８  ＮＴＳＣデジタルコンポーネント信号（Ｄ１信号）
２０３  シリアル・パラレル変換回路
２０５  １３．５ＭＨｚのクロック
２０６  Ｖカウンタ
２０７  Ｈカウンタ
２０８  加算器
２０９  走査線番号
２１２  メモリ読出制御部
２１３  データメモリ部
２１４  データメモリ読出許可信号
２１６  パラレル・シリアル変換回路
２１７  アドレス制御カウンタ
２２２  ネットキュー波形メモリ部
２２３1  第１系統データメモリ
２２３2  第２系統データメモリ
２２３3  第３系統データメモリ
２２３4  第４系統データメモリ
２２４1  第１系統ネットキューメモリ
２２４2  第２系統ネットキューメモリ
２２４3  第３系統ネットキューメモリ
２２４4  第４系統ネットキューメモリ
２３５  第１の掛算器
２３６  第２の掛算器
２３７  第３の掛算器
２３８  第４の掛算器
【図１】
2008141293.tif 000003
【図２】
2008141293.tif 000004
【図３】
2008141293.tif 000005
【図４】
2008141293.tif 000006
【図５】
2008141293.tif 000007
【図６】
2008141293.tif 000008
【図７】
2008141293.tif 000009
【図８】
2008141293.tif 000010
【図９】
2008141293.tif 000011
【図１０】
2008141293.tif 000012